(57)【特許請求の範囲】
【請求項１】
装置本体に設けられた第１通話手段と、第１通話手段との間で内線通話が可能な第２通話手段と、第１及び第２通話手段の使用状態を表示するために装置本体に設けられた表示手段と、その表示手段に対して第２通話手段の使用状態を優先して表示させる制御手段とを備え、外線保留中の内線通話時には、保留中の表示を優先して表示手段に表示させる通信装置。
【請求項２】
装置本体に設けられた第１通話手段と、第１通話手段との間で内線通話が可能な第２通話手段と、第１及び第２通話手段の使用状態を表示するために装置本体に設けられた表示手段と、その表示手段に対して第２通話手段の使用状態を優先して表示させる制御手段とを備え、第２通話手段が使用中の場合は、外線通話及び保留中に関わらず表示手段に同一の表示を表示させる一方で、外線保留中の内線通話時には、表示手段に保留中の表示を優先して表示させる通信装置。
【発明の詳細な説明】
【０００１】
【発明の属する技術分野】
本発明は、コードレス電話機と付属電話機とを備えたファクシミリ装置等の通信装置に関するものである。
【０００２】
【従来の技術】
近年、ファクシミリ装置が半導体技術の進歩に伴って、小型で廉価な装置になってきた。そのため、一般家庭にもファクシミリ装置が普及しつつある。そして、昨今のファクシミリ装置では、付属電話機に加えて、コードレス電話機を備えたものがある。このコードレス電話機を用いれば、装置本体に備えられている付属電話機との間で内線通話することができるとともに、外線に発呼することもできる。また、コードレスであるため、装置本体から電波の届く範囲であれば、どこにでも簡単に設置することができる。
【０００３】
【発明が解決しようとする課題】
ところで、コードレス電話機を備えたファクシミリ装置においては、付属電話機とコードレス電話機との間の内線通話する場合、外線とコードレス電話機との間で通話する場合、外線とコードレス電話機との間で通話中に一旦外線を保留して付属電話機に内線通話をする場合等いろいろな使用状態がある。これらの場合、コードレス電話機は、装置本体から離れて設置されていることが多く。従って、装置本体から使用者に対して使用状態を的確に表示する必要がある。
【０００４】
そのため、付属電話機及びコードレス電話機の両方の使用状態を詳細に表示するためには、装置本体の表示部に大型の専用のＬＣＤを設けて表示する構成等が考えられる。しかしながら、普及版のファクシミリ装置に大型で専用のＬＣＤ等を採用することは、価格的に極めて困難である。しかも、装置本体には専用ＬＣＤ等を配設するためのスペースが必要となる。
【０００５】
本発明は、このような従来の技術に存在する問題点に着目してなされたものであって、使用状態を的確に表示することが可能な通信装置を提供することにある。
【０００６】
【課題を解決するための手段】
上記の目的を達成するために、請求項１に記載の発明では、装置本体に設けられた第１通話手段と、第１通話手段との間で内線通話が可能な第２通話手段と、第１及び第２通話手段の使用状態を表示するために装置本体に設けられた表示手段と、その表示手段に対して第２通話手段の使用状態を優先して表示させる制御手段とを備え、外線保留中の内線通話時には、保留中の表示を優先して表示手段に表示させる。
【０００７】
請求項２に記載の発明では、装置本体に設けられた第１通話手段と、第１通話手段との間で内線通話が可能な第２通話手段と、第１及び第２通話手段の使用状態を表示するために装置本体に設けられた表示手段と、その表示手段に対して第２通話手段の使用状態を優先して表示させる制御手段とを備え、第２通話手段が使用中の場合は、外線通話及び保留中に関わらず表示手段に同一の表示を表示させる一方で、外線保留中の内線通話時には、表示手段に保留中の表示を優先して表示させる。
【０００９】
なお、以下に述べる発明の実施の形態において、特許請求の範囲または課題を解決するための手段に記載の「第１通話手段」は付属電話機２３に相当し、同じく「第２通話手段」はコードレス電話機３に相当し、同じく「表示手段」は表示部１７に相当し、同じく「制御手段」は、ＣＰＵ１１、ＲＯＭ１２及びＲＡＭ１３に相当する。
【００１０】
【発明の実施の形態】
以下に、本発明を具体化した一実施形態を図面を用いて説明する。
図１に示すように、ファクシミリ装置１は、親機機能を有する装置本体２とコードレス電話機３とから構成されている。装置本体２は、ＣＰＵ１１、ＲＯＭ１２、ＲＡＭ１３、読取部１４、記録部１５、操作部１６、表示部１７、画像メモリ１８、ＮＣＵ１９、モデム２０、モニタスピーカ２２、付属電話機２３、送受信部２７及びアンテナ２８から構成されている。
【００１１】
ＣＰＵ１１は、装置本体２を構成する各部を制御する。ＲＯＭ１２は、装置本体２を制御するためのプログラムを記憶する。また、ＲＯＭ１２は、エラーを示すビープ音のデータも記憶する。ＲＡＭ１３は、装置本体２に関する各種情報を一時的に記憶する。読取部１４は、原稿上の画像データを読み取って、白黒２値のイメージデータを出力する。記録部１５は、電子写真方式のプリンタよりなり、受信画データや読取部１４で読み取られた画データを記録紙上に記録する。
【００１２】
操作部１６は、電話番号を入力するためのテンキー（＊，＃キーを含む）１６ａ、コードレス電話機３に内線通話をするための内線キー１６ｂ、外線を保留状態にするための保留キー１６ｃ、コードレス電話機３にダイレクト転送させるためのダイレクト転送キー１６ｄ、ファクシミリ通信動作等を開始させるためのスタートキー及びワンタッチダイヤルキー等の各種操作キーを備えている。ここで、付属電話機２３からコードレス電話機３へのダイレクト転送とは、付属電話機２３で外線に応答して、ダイレクト転送キー１６ｄの押下によって、その外線を一旦保留状態にさせてからコードレス電話機３を外線の呼出音で呼び出すことを言う。
【００１３】
市販されている１６桁の汎用ＬＣＤ等よりなる表示部１７は、装置本体２の前面上部に配設され、装置本体２やコードレス電話機３の使用状態等の各種情報の表示を行う。
【００１４】
画像メモリ１８は、受信画データや読取部１４で読み取られた画データを一時的に記憶する。ＮＣＵ１９は、電話回線Ｌ１の閉結及び開放を行うとともに、相手先のファックス番号に対応したダイヤルパルスの送出及び着信を検出する機能等を備えている。また、ＮＣＵ１９は、電話回線Ｌ１を装置本体２から他の装置に接続するための回線Ｌ２に切り替える機能も備えている。モデム２０は、送受信データの変調及び復調を行うものである。
【００１５】
付属電話機２３は、装置本体２にケーブルによって接続されている。この付属電話機２３を用いれば、外線に発呼して通信相手との間で通話することができるとともに、着信した外線をオフフックして通話することもできる。送受信部２７は、アンテナ２８を介してコードレス電話機３との間で各種の制御等に必要な情報の送受信を行う。
【００１６】
子機機能を有するコードレス電話機３は、ＣＰＵ３１、ＲＯＭ３２、ＲＡＭ３３、操作部３４、送受信部３５及びアンテナ３６から構成されている。ＣＰＵ３１は、コードレス電話機３全体の制御を行う。ＲＯＭ３２は、コードレス電話機３を制御するためのプログラムを記憶する。ＲＡＭ３３は、コードレス電話機３の各種情報を一時的に記憶する。操作部３４には、電話番号を入力するためのテンキー（＊，＃キーを含む）３４ａ、付属電話機２３との間で内線通話を行うための内線キー３４ｂ、外線に発呼したり、着信した外線をオフフックしたりするための外線キー３４ｃ、外線を保留状態にするための保留キー３４ｄ、付属電話機２３にダイレクト転送するためのダイレクト転送キー３４ｅ、電話やリモート操作を終了するための切キー３４ｆ及び留守番電話に設定するため留守番電話設定キー（図示略）等を備えている。送受信部３５は、アンテナ３６を介して装置本体２との間で制御等に必要な情報の送受信を行う。ここで、コードレス電話機３から付属電話機２３へのダイレクト転送とは、コードレス電話機３で外線に応答して、ダイレクト転送キー３４ｅの押下によって、その外線を一旦保留状態にさせてから付属電話機２３を外線の呼出音で呼び出すことを言う。
【００１７】
次に、表示部１７に表示される表示内容と、表示文字との関係について、図２に示す表を用いて説明する。
・付属電話機２３からコードレス電話機３への内線呼出中の場合は、「Ｉｎｔｅｒｃｏｍ」と表示される。装置本体２からコードレス電話機３を内線呼出するときは、内線呼出していることが付属電話機２３の使用者には分かっていることであり、単に内線状態を示すだけの「Ｉｎｔｅｒｃｏｍ」と表示させている。
【００１８】
・コードレス電話機３から付属電話機２３への内線呼出中の場合は、待機状態を示す「Ｆａｘ  Ｒｅａｄｙ  ＸＸ：ＸＸ」（ＸＸ：ＸＸは現在時刻を示す）と表示される。すなわち、装置本体２を主体として考えれば、外線からの着信呼出も、コードレス電話機３からの内線呼出も付属電話機２３が呼び出されることにおいては、何ら変わりがない。従って、待機状態を示す表示から表示を変化させることなく「Ｆａｘ  Ｒｅａｄｙ  ＸＸ：ＸＸ」と表示させている。
【００１９】
・付属電話機２３とコードレス電話機３との間の内線通話中の場合は、「Ｉｎｔｅｒｃｏｍ」と表示される。すなわち、内線通話者には、内線通話状態であることが明らかであるため、「Ｉｎｔｅｒｃｏｍ」と表示させている。
【００２０】
・外線と付属電話機２３との間で通話中の場合は、「Ｔｅｌｅｐｈｏｎｅ」と表示される。すなわち、外線の相手と通話していることが、使用者には明らかであるため、「Ｔｅｌｅｐｈｏｎｅ」と表示させている。
【００２１】
・外線とコードレス電話機３との間で通話中の場合は、「Ｒｅｍｏｔｅ」と表示される。すなわち、コードレス電話機３による遠隔操作状態であるため、「Ｒｅｍｏｔｅ」と表示させている。
【００２２】
・外線を付属電話機２３で保留中の場合は、「Ｈｏｌｄ」と表示される。すなわち、第三者にも保留ている旨が分かるように、「Ｈｏｌｄ」と表示させている。
【００２３】
・外線をコードレス電話機３で保留中の場合は、「Ｒｅｍｏｔｅ」と表示される。すなわち、コードレス電話機３による遠隔操作状態であるため、「Ｒｅｍｏｔｅ」と表示させている。
【００２４】
・付属電話機２３で外線を保留中に、付属電話機２３からコードレス電話機３を内線呼出中の場合は、「Ｈｏｌｄ」と表示される。すなわち、内線呼出中の使用者に、外線を保留ている旨が分かるように、「Ｈｏｌｄ」と表示させている。
【００２５】
・コードレス電話機３で外線を保留中に、コードレス電話機３から付属電話機２３を内線呼出中の場合は、「Ｒｅｍｏｔｅ」と表示される。すなわち、装置本体２を主体をして考えれば、コードレス電話機３が外線を保留して内線呼出している旨が分かるように、「Ｒｅｍｏｔｅ」と表示させている。
【００２６】
・外線保留中における付属電話機２３とコードレス電話機３との間の内線通話中の場合は、「Ｈｏｌｄ」と表示される。すなわち、外線が保留中である旨を内線通話者に分かるように、「Ｈｏｌｄ」と表示させている。
【００２７】
・付属電話機２３からコードレス電話機３へのダイレクト転送中の場合は、「Ｃａｌｌｉｎｇ  Ｒｅｍｏｔｅ」と表示される。すなわち、装置本体２を主体と考えれば、コードレス電話機３を呼び出して、コードレス電話機３の使用者に直接外線の相手を応答させる操作であるため、「Ｃａｌｌｉｎｇ  Ｒｅｍｏｔｅ」と表示させている。
【００２８】
・コードレス電話機３から付属電話機２３へのダイレクト転送中の場合は、待機状態を示す「Ｆａｘ  Ｒｅａｄｙ  ＸＸ：ＸＸ」（ＸＸ：ＸＸは現在時刻を示す）と表示される。すなわち、装置本体２を主体として考えれば、外線からの呼出も、コードレス電話機３からのダイレクト転送呼出も付属電話機２３が呼び出されることにおいては、何ら変わりがない。従って、待機状態での外線からの着信呼出と同じく「Ｆａｘ  Ｒｅａｄｙ  ＸＸ：ＸＸ」と表示させている。
【００２９】
次に、着信した外線を付属電話機２３で応答し、その外線を保留してからコードレス電話機３に内線通話して知らせる場合の表示部１７における表示について、図３に示すフローチャートを用いて説明する。なお、以下の説明において、表示部１７における表示は、ＲＯＭ１２に記憶されたプログラムに基づいて、ＣＰＵ１１の制御によって実行される。
【００３０】
Ｓ１においては、外線から着信がＮＣＵ１９により検出される。このとき、表示部１７には、「Ｆａｘ  Ｒｅａｄｙ  ＸＸ：ＸＸ」が表示され続ける。
Ｓ２においては、外線の呼出音に対して、付属電話機２３の使用者により付属電話機２３がオフフックされる。その結果、外線の相手と付属電話機２３の使用者との間で通話が行われる。このとき、表示部１７には、「Ｔｅｌｅｐｈｏｎｅ」と切替表示される。
【００３１】
Ｓ３においては、付属電話機２３の使用者により保留キー１６ｃが押下される。その結果、外線の相手に対して保留音の送出が開始される。このとき、表示部１７には、「Ｈｏｌｄ」と切替表示される。
【００３２】
Ｓ４においては、付属電話機２３の使用者により内線キー１６ｂが押下される。その結果、コードレス電話機３では、内線の呼出音が鳴動される。このとき、表示部１７には、「Ｈｏｌｄ」と表示され続ける。なお、Ｓ２の後、付属電話機２３の使用者により保留キー１６ｃが押下されずに直接内線キー１６ｂが押下された場合、外線の相手に対して保留音の送出が開始される。また、コードレス電話機３では内線の呼出音が鳴動される。さらに、表示部１７には「Ｈｏｌｄ」と切替表示される。
【００３３】
Ｓ５においては、コードレス電話機３の使用者により内線キー３４ｂが押下される。その結果、付属電話機２３の使用者とコードレス電話機３の使用者との間で内線通話状態となり、外線からの着信があった旨が伝えられる。このときも、表示部１７には、「Ｈｏｌｄ」と表示され続ける。
【００３４】
Ｓ６においては、付属電話機２３の使用者により付属電話機２３がオンフックされる。その結果、外線の相手に対して送出されていた保留音が停止され、外線の相手とコードレス電話機３の使用者との間で通話が行われる。このとき、表示部１７には、「Ｒｅｍｏｔｅ」と切替表示される。
【００３５】
次に、着信した外線をコードレス電話機３で応答し、その外線を保留してから付属電話機２３に内線通話して知らせる場合の表示部１７における表示について、図４に示すフローチャートを用いて説明する。
【００３６】
Ｓ１１においては、外線から着信がＮＣＵ１９により検出される。このとき、表示部１７には、「Ｆａｘ  Ｒｅａｄｙ  ＸＸ：ＸＸ」が表示され続ける。
Ｓ１２においては、外線の呼出音に対して、コードレス電話機３の使用者によりコードレス電話機３の外線キー３４ｃが押下されて、コードレス電話機３がオフフックされる。その結果、外線の相手とコードレス電話機３の使用者との間で通話が行われる。このとき、表示部１７には、「Ｒｅｍｏｔｅ」と切替表示される。
【００３７】
Ｓ１３においては、コードレス電話機３の使用者により保留キー３４ｄが押下される。その結果、外線の相手に対して保留音の送出が開始される。このとき、表示部１７には、「Ｒｅｍｏｔｅ」と表示され続ける。
【００３８】
Ｓ１４においては、コードレス電話機３の使用者により内線キー３４ｂが押下される。その結果、付属電話機２３では、内線の呼出音が鳴動される。このとき、表示部１７には、「Ｒｅｍｏｔｅ」と表示され続ける。なお、Ｓ１２の後、コードレス電話機３の使用者により保留キー３４ｄが押下されずに直接内線キー３４ｄが押下された場合、外線の相手に対して保留音の送出が開始される。また、付属電話機２３では内線の呼出音が鳴動される。さらに、表示部１７には「Ｒｅｍｏｔｅ」と表示され続ける。
【００３９】
Ｓ１５においては、付属電話機２３の使用者により内線キー１６ｂが押下される。その結果、コードレス電話機３の使用者と付属電話機２３の使用者との間で内線通話状態となり、外線からの着信があった旨が伝えられる。このとき、表示部１７には、「Ｈｏｌｄ」と切替表示される。
【００４０】
Ｓ１６においては、コードレス電話機３の使用者により切キー３４ｆが押下されて、コードレス電話機３がオンフックされる。その結果、外線の相手に対して送出されていた保留音が停止され、外線の相手と付属電話機２３の使用者との間で通話が開始される。このとき、表示部１７には、「Ｔｅｌｅｐｈｏｎｅ」と切替表示される。
【００４１】
次に、着信した外線に付属電話機２３で応答し、その外線を保留してからコードレス電話機３にダイレクト転送して知らせる場合の表示部１７における表示について、図５に示すフローチャートを用いて説明する。
【００４２】
Ｓ２１においては、外線から着信がＮＣＵ１９により検出される。このとき、表示部１７には、「Ｆａｘ  Ｒｅａｄｙ  ＸＸ：ＸＸ」が表示され続ける。
Ｓ２２においては、外線の呼出音に対して、付属電話機２３の使用者により付属電話機２３がオフフックされる。その結果、着信した外線と付属電話機２３との間で通話が行われる。このとき、表示部１７には、「Ｔｅｌｅｐｈｏｎｅ」と切替表示される。
【００４３】
Ｓ２３においては、付属電話機２３の使用者により保留キー１６ｃが押下される。その結果、外線の相手に対して保留音の送出が開始される。このとき、表示部１７には、「Ｈｏｌｄ」と切替表示される。
【００４４】
Ｓ２４においては、付属電話機２３の使用者によって、ダイレクト転送キー１６ｄが押下される。その結果、コードレス電話機３に対してダイレクト転送が行われ、コードレス電話機３が外線の呼出音で鳴動される。このとき、表示部１７には、「Ｃａｌｌｉｎｇ  Ｒｅｍｏｔｅ」と切替表示される。なお、Ｓ２２の後、付属電話機２３の使用者により保留キー１６ｃが押下されずに直接ダイレクト転送キー１６ｄが押下された場合、外線の相手に対して保留音の送出が開始される。また、コードレス電話機３に対してダイレクト転送が行われ、コードレス電話機３が外線の呼出音で鳴動される。さらに、表示部１７には「ＣａｌｌｉｎｇＲｅｍｏｔｅ」と切替表示される。
【００４５】
Ｓ２５においては、外線の呼出音に基づいて、コードレス電話機３の使用者により外線キー３４ｃが押下されて、コードレス電話機３がオフフックされる。その結果、外線の相手とコードレス電話機３の使用者との間で通話が行われる。このとき、表示部１７には、「Ｒｅｍｏｔｅ」と切替表示される。
【００４６】
次に、着信した外線にコードレス電話機３で応答し、その外線を保留してから付属電話機２３にダイレクト転送して知らせる場合の表示部１７における表示について、図６に示すフローチャートを用いて説明する。
【００４７】
Ｓ３１においては、外線から着信がＮＣＵ１９により検出される。このとき、表示部１７には、「Ｆａｘ  Ｒｅａｄｙ  ＸＸ：ＸＸ」が表示され続ける。
Ｓ３２においては、外線の呼出音に対して、コードレス電話機３の使用者により外線キー３４ｃが押下されて、コードレス電話機３がオフフックされる。その結果、着信した外線とコードレス電話機３との間で通話が行われる。このとき、表示部１７には、「Ｒｅｍｏｔｅ」と切替表示される。
【００４８】
Ｓ３３においては、コードレス電話機３の使用者により保留キー３４ｄが押下される。その結果、外線の相手に対して保留音の送出が開始される。このとき、表示部１７には、「Ｒｅｍｏｔｅ」と表示され続ける。
【００４９】
Ｓ３４においては、コードレス電話機３の使用者によって、ダイレクト転送キー３４ｅが押下される。その結果、付属電話機２３に対してダイレクト転送が行われ、付属電話機２３が外線の呼出音で鳴動される。このとき、表示部１７には、「Ｆａｘ  Ｒｅａｄｙ  ＸＸ：ＸＸ」と切替表示される。なお、Ｓ３２の後、コードレス電話機３の使用者により保留キー３４ｄが押下されずに直接ダイレクト転送キー３４ｅが押下された場合、外線の相手に対して保留音の送出が開始される。また、付属電話機２３に対してダイレクト転送が行われ、付属電話機２３が外線の呼出音で鳴動される。さらに、表示部１７には「Ｆａｘ  Ｒｅａｄｙ  ＸＸ：ＸＸ」と切替表示される。
【００５０】
Ｓ３５においては、外線の呼出音に基づいて、付属電話機２３の使用者により付属電話機２３がオフフックされる。その結果、外線の相手と付属電話機２３の使用者との間で通話が行われる。このとき、表示部１７には、「Ｔｅｌｅｐｈｏｎｅ」と切替表示される。
【００５１】
以上、詳述したように本実施形態によれば、次のような効果を得ることができる。
・付属電話機２３は装置本体２に設けられているため、その使用状態を表示部１７に積極的に表示する必要性がない。このため、コードレス電話機３の使用状態を付属電話機２３よりも優先させて表示部１７に表示させることの方が有益である。従って、付属電話機２３とコードレス電話機３との間における状態を１６桁からなる小さなＬＣＤの表示部１７にコードレス電話機３の使用状態を優先させて的確に表示することができる。また、使用者は付属電話機２３とコードレス電話機３との使用状態を表示部１７に表示される文字から知ることができる。さらに、専用且つ大型のＬＣＤを装置本体２に設ける必要もない。
【００５２】
・表示部１７に表示される文字によって、操作した内容が確実に行われていることを聴覚と視覚とにより確実に確認することができる。従って、誤って操作した場合は、すぐに操作のやり直しを行うことができる。
【００５３】
・表示部１７に「Ｒｅｍｏｔｅ」と表示されている場合は、コードレス電話機３が使用状態であることが分かる。従って、表示部１７を一瞥するだけで、付属電話機２３が使用不可能であることが分かる。
【００５４】
・外線保留時に内線通話中は、表示部１７に外線が保留中である旨を示す「Ｈｏｌｄ」が内線通話の表示よりも優先させて表示させている。このため、確実に外線が保留中であることが分かる。従って、必要以上に外線の相手を待たせることを防止することができる。
【００５５】
なお、本実施形態は、次のように変更して具体化することも可能である。
・装置本体２は、ファクシミリ機能を備えた装置でなく、通常の親子電話機の機能を有する電話機であっても良い。
【００５６】
・コードレス電話機３に代えて、装置本体２に対してケーブルで接続された第２付属電話機（図示略）であっても良い。
さらに、前記実施形態および前記変形例から把握される技術的思想について、その効果とともに以下に記載する。
【００５７】
・請求項１および請求項２に記載の通信装置において、表示手段は、１６桁からなるＬＣＤである通信装置。
このように構成すれば、汎用ＬＣＤであっても、第１及び第２通話手段の使用状態が装置本体において、確実に確認することができる。
【００５８】
【発明の効果】
本発明は、以上のように構成されているため、次のような効果を奏する。
請求項１に記載の発明によれば、表示手段が小さくても通信装置の使用状態を的確に表示することができ、また、外線保留中の内線通話時には、外線が保留中であることが分かる。従って、外線の相手を必要以上に待たせることを防止することができる。
る。
【００５９】
請求項２に記載の発明によれば、表示手段が小さくても通信装置の使用状態を的確に表示することができ、また、第２通話手段が使用中の場合は同一の表示が表示手段に表示される一方で、外線保留中の内線通話時には保留中の表示が優先して表示手段に表示される。従って、第１通話手段が使用不可能であることが一瞥しただけで分かるとともに、外線の相手を必要以上に待たせることを防止することができる。
【図面の簡単な説明】
【図１】一実施形態のファクシミリ装置のブロック図。
【図２】同じく、表示内容とその表示文字との関係を示す一覧表。
【図３】同じく、付属電話機で応答後、外線保留してからコードレス電話機に取り次ぎを行う場合における表示部の表示を示すフローチャート。
【図４】同じく、コードレス電話機で応答後、外線保留してから付属電話機に取り次ぎを行う場合における表示部の表示を示すフローチャート。
【図５】同じく、付属電話機で応答後、外線保留してからコードレス電話機にダイレクト転送する場合における表示部の表示を示すフローチャート。
【図６】同じく、コードレス電話機で応答後、外線保留してから付属電話機にダイレクト転送する場合における表示部の表示を示すフローチャート。
【符号の説明】
１…通信装置としてのファクシミリ装置、２…装置本体、３…第２通話手段としてのコードレス電話機、１１…表示手段を構成するＣＰＵ、１２…表示手段を構成するＲＯＭ、１３…表示手段を構成するＲＡＭ、１７…表示手段を構成する表示部、２３…第１通話手段としての付属電話機。
【図１】
0003661352.tif 000002
【図２】
0003661352.tif 000003
【図３】
0003661352.tif 000004
【図４】
0003661352.tif 000005
【図５】
0003661352.tif 000006
【図６】
0003661352.tif 000007